(57)【特許請求の範囲】
【請求項１】
受動光ネットワーク（ＰＯＮ）においてインターネットプロトコルバージョン６（ＩＰｖ６）メッセージを送信する方法であって、
光回線終端装置（ＯＬＴ）ポート情報と光ネットワークユニット（ＯＮＵ）ポート情報とＩＰｖ６アドレスプレフィックスとを運ぶルータ広告（ＲＡ）メッセージを受信し、
前記ＩＰｖ６アドレスプレフィックスを前記ＯＬＴポート情報によって示されるＯＬＴポートとバインドし、
前記ＲＡメッセージを前記ＯＬＴポートを介してＯＮＵに送信することにより、前記ＯＮＵが、前記ＩＰｖ６アドレスプレフィックスを前記ＯＮＵポート情報によって示されるＯＮＵポートとバインドすること
を含む方法。
【請求項２】
前記ＲＡメッセージを前記ＯＮＵに送信する前に、前記ＯＬＴポート情報を前記ＲＡメッセージから除去すること
を更に含む請求項１に記載の方法。
【請求項３】
前記ＯＮＵによって送信され且つ前記ＯＮＵポート情報を運ぶルータ要請（ＲＳ）メッセージを受信し、ＯＬＴポート情報を前記ＲＳメッセージに追加し、前記ＯＮＵポート情報と前記ＯＬＴポート情報とを運ぶ前記ＲＳメッセージをネットワークエンティティに送信して、前記ネットワークエンティティにユーザのためのＩＰｖ６アドレスプレフィックスを割り当てるよう要求すること、又は、
前記ＯＮＵによって送信され且つ前記ＯＬＴポート情報と前記ＯＮＵポート情報とを運ぶＲＳメッセージを受信し、前記ＲＳメッセージをネットワークエンティティに送信して、前記ネットワークエンティティにユーザのためのＩＰｖ６アドレスプレフィックスを割り当てるよう要求すること
を更に含む請求項１又は請求項２に記載の方法。
【請求項４】
受動光ネットワーク（ＰＯＮ）においてインターネットプロトコルバージョン６（ＩＰｖ６）メッセージを送信する方法であって、
光ネットワークユニット（ＯＮＵ）ポート情報と、所定のＯＬＴポートとバインドされたＩＰｖ６アドレスプレフィックスとを運ぶルータ広告（ＲＡ）メッセージを光回線終端装置（ＯＬＴ）から受信し、
前記ＩＰｖ６アドレスプレフィックスを前記ＯＮＵポート情報によって示されるＯＮＵポートとバインドし、
前記ＲＡメッセージを前記ＯＮＵポートを介してユーザに送信すること
を含む方法。
【請求項５】
前記ＲＡメッセージを前記ユーザに送信する前に、前記ＯＮＵポート情報を前記ＲＡメッセージから除去すること
を更に含む請求項４に記載の方法。
【請求項６】
前記ＲＡメッセージは、前記所定のＯＬＴポートに対応するＯＬＴポート情報を更に含み、
前記方法は、
前記ＲＡメッセージを前記ユーザに送信する前に、前記ＯＮＵポート情報と前記ＯＬＴポート情報とを前記ＲＡメッセージから除去することを更に含む
請求項４に記載の方法。
【請求項７】
前記ユーザによって発されたルータ要請（ＲＳ）メッセージを受信し、
前記ＯＮＵポート情報を前記ＲＳメッセージに追加するか、又は、前記ＯＮＵポート情報と前記ＯＬＴによって予め配信されたＯＬＴポート情報とを前記ＲＳメッセージに追加し、
前記ＯＮＵポート情報を運ぶ前記ＲＳメッセージか、又は、前記ＯＮＵポート情報と前記ＯＬＴポート情報とを運ぶ前記ＲＳメッセージを前記ＯＬＴに送信することにより、前記ＯＬＴがネットワークエンティティに前記ユーザのためのＩＰｖ６アドレスプレフィックスを割り当てるよう要求すること
を更に含む請求項４〜６のいずれか一項に記載の方法。
【請求項８】
光回線終端装置（ＯＬＴ）ポート情報と光ネットワークユニット（ＯＮＵ）ポート情報とインターネットプロトコルバージョン６（ＩＰｖ６）アドレスプレフィックスとを運ぶＲＡメッセージを受信するように構成されたルータ広告（ＲＡ）受信ユニットと、
前記ＩＰｖ６アドレスプレフィックスを前記ＯＬＴポート情報によって示されるＯＬＴポートとバインドするように構成されたバインディングユニットと、
前記ＲＡメッセージを前記ＯＬＴポートを介してＯＮＵに送信して、前記ＩＰｖ６アドレスプレフィックスを前記ＯＮＵポート情報によって示されるＯＮＵポートとバインドするよう前記ＯＮＵに通知するように構成されたＲＡ送信ユニットと、
を備えるＯＬＴ。
【請求項９】
前記ＯＬＴポート情報を前記ＲＡメッセージから除去し、前記ＲＡメッセージが前記ＯＮＵに送信されるようにＯＬＴポート情報なしのＲＡメッセージを前記ＲＡ送信ユニットに提供するように構成されたポート情報除去ユニット
を更に備える請求項８に記載のＯＬＴ。
【請求項１０】
ユーザによって前記ＯＮＵを介して送信され且つ前記ＯＮＵポート情報を運ぶルータ要請（ＲＳ）メッセージを受信するように構成されたＲＳ受信ユニットと、
前記ＯＬＴポート情報を前記ＲＳ受信ユニットによって受信された前記ＲＳメッセージに追加するように構成されたポート情報追加ユニットと、
前記ＯＮＵポート情報と前記ＯＬＴポート情報とを運ぶ前記ＲＳメッセージをネットワークエンティティに送信して、前記ネットワークエンティティに前記ユーザのためのＩＰｖ６アドレスプレフィックスを割り当てるよう要求するように構成されたＲＳ送信ユニットと、
を更に備える請求項８又は請求項９に記載のＯＬＴ。
【請求項１１】
ユーザによって前記ＯＮＵを介して送信され且つ前記ＯＮＵポート情報と前記ＯＬＴポート情報とを運ぶルータ要請（ＲＳ）メッセージを受信するように構成されたＲＳ受信ユニットと、
前記ＯＮＵポート情報と前記ＯＬＴポート情報とを運ぶ前記ＲＳメッセージをネットワークエンティティに送信して、前記ネットワークエンティティに前記ユーザのためのＩＰｖ６アドレスプレフィックスを割り当てるよう要求するように構成されたＲＳ送信ユニットと、
を更に備える請求項８又は請求項９に記載のＯＬＴ。
【請求項１２】
光ネットワークユニット（ＯＮＵ）ポート情報と、所定のＯＬＴポートとバインドされたインターネットプロトコルバージョン６（ＩＰｖ６）アドレスプレフィックスとを運ぶＲＡメッセージを光回線終端装置（ＯＬＴ）から受信するように構成されたルータ広告（ＲＡ）受信ユニットと、
前記ＩＰｖ６アドレスプレフィックスを前記ＯＮＵポート情報によって示されるＯＮＵポートとバインドするように構成されたバインディングユニットと、
前記ＲＡメッセージを前記ＯＮＵポートを介してユーザに送信するように構成されたＲＡ送信ユニットと、
を備えるＯＮＵ。
【請求項１３】
前記ＯＮＵポート情報を前記ＲＡメッセージから除去し、前記ＲＡメッセージが前記ユーザに送信されるようにＯＮＵポート情報なしのＲＡメッセージを前記ＲＡ送信ユニットに提供するように構成されたポート情報除去ユニット
を更に備える請求項１２に記載のＯＮＵ。
【請求項１４】
前記ユーザによって発されたルータ要請（ＲＳ）メッセージを受信するように構成されたＲＳ受信ユニットと、
ポート情報を前記ＲＳメッセージに追加するように構成されたポート情報追加ユニットと、
前記ＯＬＴがネットワークエンティティに前記ユーザのためのＩＰｖ６アドレスプレフィックスを割り当てるよう要求するように、前記ポート情報を運ぶ前記ＲＳメッセージを前記ＯＬＴに送信するように構成されたＲＳ送信ユニットと、
を更に備える請求項１２又は請求項１３に記載のＯＮＵ。
【請求項１５】
請求項８〜１１のいずれか一項に記載の光回線終端装置（ＯＬＴ）と、
請求項１２〜１４のいずれか一項に記載の光ネットワークユニット（ＯＮＵ）と、
を備える受動光ネットワーク（ＰＯＮ）システム。
【発明の詳細な説明】
【技術分野】
【０００１】
本発明は、通信技術の分野に関し、特に、受動光ネットワーク（ＰＯＮ）においてインターネットプロトコルバージョン６（ＩＰｖ６）メッセージを送信する方法、システム、及び装置に関する。
【背景技術】
【０００２】
現在、ＰＯＮは、ブロードバンド光アクセス技術として、通常、ポイントツーマルチポイント（Ｐ２ＭＰ）トポロジを使用する。ＰＯＮは、光回線終端装置（ＯＬＴ）と、光分配ネットワーク（ＯＤＮ）と、１つ以上の光ネットワークユニット（ＯＮＵ）とを含む。ＯＬＴは、セントラルオフィス内に位置し、サービスネットワークインタフェースを介してサービスネットワークに接続され、そして、特定のフォーマットに従って複数のサービスのアクセスを実施する。ＯＮＵは、顧客構内に位置し、主として、サービスの多重化／逆多重化、及びユーザネットワークインタフェース機能を実施する。ＯＤＮは、ＯＬＴとＯＮＵとの間の物理的接続のための共有光伝送媒体を提供し、受動光スプリッタを使用してツリートポロジを形成し、サービスのトランスペアレントな伝送を実施する。ＯＮＵは、レジデンシャルゲートウェイ（ＲＧ）を接続するためのデジタル加入者線（ＤＳＬ）又はイーサネット（登録商標）（ＥＴＨ）インタフェースも提供してもよい。
【０００３】
ＩＰｖ６では、通常、異なるＤＳＬは異なるＩＰｖ６アドレスプレフィックスを使用する。ＰＯＮユーザがステートレスアドレス割り当てを使用する場合、ユーザによって送信されたルータ要請（Ｒｏｕｔｅｒ  Ｓｏｌｉｃｉｔａｔｉｏｎ）（ＲＳ）メッセージを受信した後、ネットワークエンティティであるブロードバンドネットワークゲートウェイ（ＢＮＧ）は、ルータ広告（Ｒｏｕｔｅｒ  Ａｄｖｅｒｔｉｓｅｍｅｎｔ）（ＲＡ）メッセージをＰＯＮ内の全てのドロップファイバ内にブロードキャストし、次に、ＲＡメッセージを全てのＤＳＬを介してブロードキャストして、ユーザに割り当てられるＩＰｖ６アドレスプレフィックスをユーザに通知する。ＲＳメッセージは、ユーザによって要求されるＩＰｖ６アドレスプレフィックスに関する情報を運び、ＲＡメッセージは、ネットワークエンティティによってユーザに割り当てられるＩＰｖ６アドレスプレフィックスを運ぶ。
【発明の概要】
【発明が解決しようとする課題】
【０００４】
従来技術では、ネットワークエンティティは、ＩＰｖ６アドレスプレフィックスをユーザに割り当て、各ユーザによって要求されたＩＰｖ６アドレスプレフィックスは、ブロードキャストを介して配信される。すなわち、ユーザは、ネットワークによって配信された全てのＩＰｖ６アドレスプレフィックスを受信する可能性がある。従って、ユーザは、ネットワークによってそのユーザのために配信されたＩＰｖ６アドレスプレフィックスを特定することができない。ＩＰアドレスを設定するために異なるユーザは異なるＩＰｖ６アドレスプレフィックスを必要とするため、ユーザＩＰアドレスは混乱して設定される。
【課題を解決するための手段】
【０００５】
従って、ユーザが、指定されたポートを介してネットワークエンティティと通信して、指定されたＩＰｖ６アドレスプレフィックスを取得することができるように、ＰＯＮにおいてＩＰｖ６メッセージを送信する方法、ＰＯＮシステム、ＯＬＴ、及びＯＮＵを提供する必要がある。
【０００６】
本発明の第１の態様は、独立請求項１によるＰＯＮにおいてＩＰｖ６メッセージを送信する方法を提供する。この方法は、
ＯＬＴポート情報とＯＮＵポート情報とＩＰｖ６アドレスプレフィックスとを運ぶＲＡメッセージを受信し、
ＩＰｖ６アドレスプレフィックスをＯＬＴポート情報によって示されるＯＬＴポートとバインドし、
ＲＡメッセージをＯＬＴポートを介してＯＮＵに送信し、これにより、ＯＮＵが、ＩＰｖ６アドレスプレフィックスをＯＮＵポート情報によって示されるＯＮＵポートとバインドすることを含む。
【０００７】
本発明の第２の態様は、独立請求項４によるＰＯＮにおいてＩＰｖ６メッセージを送信する別の方法を提供する。この方法は、
ＲＡメッセージをＯＬＴから受信し、ここで、ＲＡメッセージは、ＯＮＵポート情報と、所定のＯＬＴポートとバインドされたＩＰｖ６アドレスプレフィックスとを運び、
ＯＮＵポート情報に従ってＩＰｖ６アドレスプレフィックスをＯＮＵポート情報によって示されるＯＮＵポートとバインドし、
ＲＡメッセージをＯＮＵポートを介してユーザに送信することを含む。
【０００８】
本発明の第３の態様は、独立請求項１５によるＰＯＮシステムを提供する。このＰＯＮシステムは、
ＯＬＴポート情報とＯＮＵポート情報とＩＰｖ６アドレスプレフィックスとを運ぶＲＡメッセージを受信し、ＩＰｖ６アドレスプレフィックスをＯＬＴポート情報によって示されるＯＬＴポートとバインドし、ＲＡメッセージをＯＬＴポートを介してＯＮＵに送信するように構成されたＯＬＴと、
ＩＰｖ６アドレスをＯＮＵポート情報によって示されるＯＮＵポートとバインドするように構成されたＯＮＵと、を含む。
【０００９】
本発明の第４の態様は、独立請求項８によるＯＬＴを提供する。このＯＬＴは、
ＯＬＴポート情報とＯＮＵポート情報とＩＰｖ６アドレスプレフィックスとを運ぶＲＡメッセージを受信するように構成されたＲＡ受信ユニットと、
ＩＰｖ６アドレスプレフィックスをＯＬＴポート情報によって示されるＯＬＴポートとバインドするように構成されたバインディングユニットと、
ＲＡメッセージをＯＬＴポートを介してＯＮＵに送信して、ＩＰｖ６アドレスプレフィックスをＯＮＵポート情報によって示されるＯＮＵポートとバインドするようＯＮＵに指示するように構成されたＲＡ送信ユニットと、を含む。
【００１０】
本発明の第５の態様は、独立請求項１２によるＯＮＵを提供する。このＯＮＵは、
ＲＡメッセージをＯＬＴから受信するように構成されたＲＡ受信ユニットと（ここで、ＲＡメッセージは、ＯＮＵポート情報と、所定のＯＬＴポートとバインドされたＩＰｖ６アドレスプレフィックスとを運び）、
ＩＰｖ６アドレスプレフィックスをＯＮＵポート情報によって示されるＯＮＵポートとバインドするように構成されたバインディングユニットと、
ＲＡメッセージをＯＮＵポートを介してユーザに送信するように構成されたＲＡ送信ユニットと、を含む。
【発明の効果】
【００１１】
ＰＯＮにおいてＩＰｖ６メッセージを送信する前述の方法、システム、及び装置を使用することによって、ＯＬＴ／ＯＮＵポート情報によって示されるＯＬＴ／ＯＮＵポートがＩＰｖ６アドレスプレフィックスとバインドされ、ＩＰｖ６アドレスプレフィックスがＯＬＴ／ＯＮＵポートを介してユーザに送信され、これにより、ユーザが指定されたポート上のネットワークエンティティと通信することが可能になる。本発明の実施形態では、指定されたＩＰｖ６アドレスプレフィックスがＯＬＴ／ＯＮＵポート情報によって示されるＯＬＴ／ＯＮＵポートを介して取得され、これにより、ユーザＩＰアドレスの設定の正しさが保証される。加えて、ユーザは、指定されたＩＰｖ６アドレスプレフィックスを、全てのユーザのＩＰｖ６アドレスプレフィックスを受信することなしに、ポート情報によって示されるポートを介してのみ取得し、これにより、ユーザのリソースが大幅に節約される。
【図面の簡単な説明】
【００１２】
【図１】本発明の実施形態によるＰＯＮにおいてＩＰｖ６メッセージを送信する方法のフローチャートである。
【図２】本発明の実施形態によるユーザがネットワークエンティティからのＩＰｖ６アドレスプレフィックスを要求するシグナリングフローチャートである。
【図３】本発明の実施形態によるネットワークエンティティがＩＰｖ６アドレスプレフィックスをユーザに配信するシグナリングフローチャートである。
【図４】本発明の実施形態によるＯＬＴの概略構成図である。
【図５】本発明の実施形態によるＯＮＵの概略構成図である。
【図６】本発明の実施形態によるＰＯＮシステムの概略構成図である。
【発明を実施するための形態】
【００１３】
ＰＯＮにおいてＩＰｖ６メッセージを送信する方法、システム、及び装置について、添付の図面を参照して以下に詳細に説明する。
【００１４】
図１は、本発明の一実施形態によるＰＯＮにおいてＩＰｖ６メッセージを送信する方法のフローチャートである。この方法は、以下のステップを含む。
【００１５】
１０１：ＯＬＴは、ＯＬＴポート情報とＯＮＵポート情報とＩＰｖ６アドレスプレフィックスとを運ぶＲＡメッセージを受信する。
【００１６】
１０２：ＯＬＴは、ＩＰｖ６アドレスプレフィックスをＯＬＴポート情報によって示されるＯＬＴポートとバインドする。
【００１７】
１０３：ＯＬＴは、ＲＡメッセージをＯＬＴポートを介してＯＮＵに送信し、これにより、ＯＮＵは、ＩＰｖ６アドレスプレフィックスをＯＮＵポート情報によって示されるＯＮＵポートとバインドする。
【００１８】
更に、ＯＮＵは、ユーザがＩＰｖ６アドレスを生成するように、ＲＡメッセージをＯＮＵポートを介してユーザに送信してもよい。
【００１９】
ポート情報のセキュリティを保証するために、一実施形態では、ＯＬＴは、ＲＡメッセージをＯＮＵに送信する前に、ＯＬＴポート情報をＲＡメッセージから除去してもよく、ＯＮＵは更に、ＲＡメッセージをユーザに転送する前に、ＯＮＵポート情報をＲＡメッセージから除去してもよい。別の実施形態では、ＯＬＴは、ＲＡメッセージをＯＮＵに送信する前に、ＲＡメッセージ内のＯＬＴポート情報を処理しなくてもよく、一方、ＯＮＵは、ＲＡメッセージをユーザに転送する前に、ＯＬＴポート情報及びＯＮＵポート情報の両方をＲＡメッセージから除去してもよい。
【００２０】
ＲＡメッセージ内のＯＮＵポート情報はＲＡメッセージのＯｐｔｉｏｎ１（オプション１）内で運ばれてもよく、又は、ＯＮＵポート情報はＲＡメッセージに対応するＩＰｖ６パケットのＩＰｖ６拡張ヘッダのＯｐｔｉｏｎ１内で運ばれてもよく、ここで、
（１）ＯＮＵが非同期転送モード（ＡＴＭ）に基づくポート（例えば、ＡＴＭベースのＤＳＬポート）を使用する場合、ＲＡメッセージ内のポート情報フォーマットＯｐｔｉｏｎ１はＯＮＵ−ＩＤ  ａｔｍ  ｓｌｏｔ２／ｐｏｒｔ２：ｖｐｉ．ｖｃｉであってもよく、
（２）ＯＮＵがＥＴＨベースのポート（例えば、ＥＴＨベースのＤＳＬポート）を使用する場合、ＲＡメッセージ内のポート情報フォーマットＯｐｔｉｏｎ１はＯＮＵ−ＩＤ  ｅｔｈ  ｓｌｏｔ２／ｐｏｒｔ２［：ｖｌａｎ−ｉｄ］であってもよい。
【００２１】
ＯＮＵ−ＩＤは、ＯＮＵ識別子（ＩＤ）であり、ｓｌｏｔ２／ｐｏｒｔ２は、ＯＮＵ上のスロット番号及びポート番号である。別の実施形態では、ｓｌｏｔ２／ｐｏｒｔ２は、ＯＮＵ上の他のＩＤ（例えば、少なくとも以下の任意の組み合わせ：ＯＮＵのキャビネット番号、ラック番号、サブラック番号、スロット番号、サブスロット番号、及びポート番号）によって置き換えられてもよい。
【００２２】
ｖｐｉ．ｖｃｉは、ＤＳＬ上の仮想パスＩＤ及び仮想チャネルＩＤである。
【００２３】
加えて、一般に、ＯＮＵポートについて、ｖｌａｎ−ｉｄは、カスタマ仮想ローカルエリアネットワーク（Ｃ−ＶＬＡＮ）ＩＤであり、ユーザ又はアクセス回線を識別するために使用され、通常、ＯＮＵによって追加又は除去される。以下のＯｐｔｉｏｎ１フォーマットにおけるｖｌａｎ−ｉｄの説明は、前述の説明と同様であり、従って再度示すことはしない。
【００２４】
ＲＡメッセージ内のＯＬＴポート情報はＲＡメッセージのＯｐｔｉｏｎ２（オプション２）内で運ばれてもよく、又は、ＯＬＴポート情報はＲＡメッセージに対応するＩＰｖ６パケットのＩＰｖ６拡張ヘッダのＯｐｔｉｏｎ２内で運ばれてもよく、ここで、Ｏｐｔｉｏｎ２フォーマットは、Ａｃｃｅｓｓ−Ｎｏｄｅ−Ｉｄｅｎｔｉｆｉｅｒ  ｓｌｏｔ１／ｐｏｒｔ１［：ｖｌａｎ−ｉｄ］である。
【００２５】
Ａｃｃｅｓｓ−Ｎｏｄｅ−Ｉｄｅｎｔｉｆｉｅｒは、ＯＬＴ  ＩＤであり、ｓｌｏｔ１／ｐｏｒｔ１は、ＯＬＴ上のスロット番号及びポート番号である。別の実施形態では、ｓｌｏｔ１／ｐｏｒｔ１は、ＯＬＴ上の他のＩＤ（例えば、少なくとも以下の任意の組み合わせ：ＯＬＴのキャビネット番号、ラック番号、サブラック番号、スロット番号、サブスロット番号、及びポート番号）によって置き換えられてもよい。
【００２６】
一般に、ＯＬＴポートについて、ｖｌａｎ−ｉｄは、サービスＶＬＡＮ（Ｓ−ＶＬＡＮ）ＩＤであり、サービス又はＯＬＴを識別するために使用され、一般に、ＯＬＴによって追加又は除去される。以下のＯｐｔｉｏｎ２フォーマットにおけるｖｌａｎ−ｉｄの説明は、前述の説明と同様であり、従って再度示すことはしない。
【００２７】
ＲＡメッセージ内のＯＬＴポート情報及びＯＮＵポート情報の両方は、ＲＡメッセージのＯｐｔｉｏｎ３（オプション３）内で運ばれてもよく、又は、ＲＡメッセージに対応するＩＰＶ６パケットのＩＰｖ６拡張ヘッダのＯｐｔｉｏｎ３内で運ばれてもよく、ここで、Ｏｐｔｉｏｎ３フォーマットは、以下の通りであってもよい。
【００２８】
（１）ＯＮＵがＡＴＭベースのポートを使用する場合、ＲＡメッセージ内のポート情報フォーマットＯｐｔｉｏｎ３は、Ａｃｃｅｓｓ−Ｎｏｄｅ−Ｉｄｅｎｔｉｆｉｅｒ  ａｔｍ  ｓｌｏｔ１／ｐｏｒｔ１／ＯＮＵ−ＩＤ／ｓｌｏｔ２／ｐｏｒｔ２：ｖｐｉ．ｖｃｉであってもよく、
（２）ＯＮＵがＥＴＨベースのポートを使用する場合、ＲＡメッセージ内のポート情報フォーマットＯｐｔｉｏｎ３は、Ａｃｃｅｓｓ−Ｎｏｄｅ−Ｉｄｅｎｔｉｆｉｅｒ  ｅｔｈ  ｓｌｏｔ１／ｐｏｒｔ１／ＯＮＵ−ＩＤ／ｓｌｏｔ２／ｐｏｒｔ２［：ｖｌａｎ−ｉｄ］であってもよい。
【００２９】
Ａｃｃｅｓｓ−Ｎｏｄｅ−Ｉｄｅｎｔｉｆｉｅｒ、ｓｌｏｔ１／ｐｏｒｔ１、ＯＮＵ−ＩＤ、ｓｌｏｔ２／ｐｏｒｔ２、及びｖｐｉ．ｖｃｉの意味については、前述の説明を参照されたい。ｖｌａｎ−ｉｄは、ＶＬＡＮ  ＩＤであり、Ｃ−ＶＬＡＮ  ＩＤ、及びＳ−ＶＬＡＮ  ＩＤを含んでもよい。
【００３０】
複数のＩＰｖ６拡張ヘッダがＩＰｖ６パケットヘッダとアプリケーションレイヤ情報の部分との間で運ばれてもよく、各ＩＰｖ６拡張ヘッダはＮｅｘｔ  Ｈｅａｄｅｒ（次ヘッダ）フィールドを含み、これは、そのＩＰｖ６拡張ヘッダの直後のＩＰｖ６拡張ヘッダ又はアプリケーションレイヤプロトコルのタイプを識別する。ＩＰｖ６拡張ヘッダがポート情報を運ぶために使用される場合、対応するＩＰｖ６パケットヘッダのＮｅｘｔ  Ｈｅａｄｅｒフィールドは、その後に運ばれるＩＰｖ６拡張ヘッダがポート情報を運ぶために使用されることを表明しなければならず、各ＩＰｖ６パケットは、ポート情報を運ぶためにＩＰｖ６拡張ヘッダを使用してもよく、又は、ポート情報は、インターネット制御メッセージプロトコル（ＩＣＭＰ）パケットが転送される場合のみ追加されてもよい。ＩＣＭＰパケットは、ＲＳ／ＲＡメッセージ、又は近隣要請（Ｎｅｉｇｈｂｏｒ  Ｓｏｌｉｃｉｔａｔｉｏｎ）（ＮＳ）又は近隣広告（Ｎｅｉｇｈｂｏｒ  Ａｄｖｅｒｔｉｓｅｍｅｎｔ）（ＮＡ）メッセージであってもよい。
【００３１】
各ＩＰｖ６パケットがポート情報を運ぶためにＩＰｖ６拡張ヘッダを使用する場合、この場合は、認証又は認可のためのポート情報を運ぶためにポイントツーポイントオーバイーサネット（登録商標）（ＰＰＰｏＥ）パケットを使用することに類似している。
【００３２】
ポート情報を運ぶためにＩＰｖ６拡張ヘッダを使用することの利点は、以下の通りである。シグネチャを運ぶ（ＲＳ／ＲＡ、及びＮＳ／ＮＡなどの）ＩＣＭＰパケットが転送される場合、ポート情報はＩＣＭＰパケットではなくＩＰｖ６拡張ヘッダ内に挿入されるため、ＩＣＭＰパケットを修正する必要はなく、これは、ＩＣＭＰパケットシグネチャの有効性に影響を及ぼさない。
【００３３】
加えて、Ｏｐｔｉｏｎ１、Ｏｐｔｉｏｎ２、及びＯｐｔｉｏｎ３フォーマットにおける「［］」は省略可能であることに留意されたい。
【００３４】
本発明の実施形態をより良く説明するために、ＰＯＮにおいてＩＰｖ６メッセージを送信する方法について、以下に詳細に説明する。
【００３５】
図２に示すように、ユーザが、ＰＯＮを介してネットワークエンティティからのＩＰｖ６アドレスプレフィックスを要求する場合、特定の実施プロセスは以下の通りである。
【００３６】
３０１：ユーザは、ＩＰｖ６アドレスプレフィックスを要求するＲＳメッセージを発する。
【００３７】
ＲＳメッセージは、ユーザの媒体アクセス制御（ＭＡＣ）アドレス及びリンクローカルアドレス（ＬＬＡ）を運んでもよい。このステップにおいて、ユーザは、ＮＳメッセージを発することによってＩＰｖ６アドレスプレフィックスを要求してもよい。
【００３８】
３０２：ＯＮＵは、受信したＲＳ／ＮＳメッセージにポート情報を追加する。
【００３９】
ポート情報は、ＯＮＵポート情報、又は、ＯＮＵポート情報及びＯＬＴポート情報であってもよい。
【００４０】
ポート情報がＯＮＵポート情報である場合、ＯＮＵはそれ自体のポート情報をＲＳ／ＮＳメッセージのＯｐｔｉｏｎ１に追加し、又は、ＯＮＵポート情報はＲＳ／ＮＳメッセージに対応するＩＰｖ６パケットのＩＰｖ６拡張ヘッダのＯｐｔｉｏｎ１内で運ばれてもよく、ここで、
（１）ＯＮＵがＡＴＭベースのポートを使用する場合、Ｏｐｔｉｏｎ１情報フォーマットは、ＯＮＵ−ＩＤ  ａｔｍ  ｓｌｏｔ２／ｐｏｒｔ２：ｖｐｉ．ｖｃｉであってもよく、
（２）ＯＮＵがＥＴＨベースのポートを使用する場合、Ｏｐｔｉｏｎ１情報フォーマットは、ＯＮＵ−ＩＤ  ｅｔｈ  ｓｌｏｔ２／ｐｏｒｔ２［：ｖｌａｎ−ｉｄ］であってもよい。
【００４１】
ＯＬＴによってＯＮＵ管理及び制御インタフェース（ＯＭＣＩ）を介して送信されたＯＬＴポート情報、又は、ＢＮＧによってレイヤ２制御プロトコル（Ｌ２ＣＰ）上で送信されたＯＬＴポート情報を、ＯＮＵがポート情報を追加する前に受信した場合、ＯＮＵは、ＯＮＵポート情報だけでなくＯＬＴポート情報もＲＳメッセージに追加してもよい。
【００４２】
具体的には、一実施形態では、ＯＮＵが、ＯＮＵポート情報をＲＳ／ＮＳメッセージのＯｐｔｉｏｎ１に追加し、ＯＬＴポート情報をＲＳ／ＮＳメッセージのＯｐｔｉｏｎ２に追加してもよく、又は、ＯＮＵポート情報及びＯＬＴポート情報はそれぞれＯＮＵ及びＯＬＴによって、ＲＳ／ＮＳメッセージに対応するＩＰｖ６パケットのＩＰｖ６拡張ヘッダのＯｐｔｉｏｎ１及びＯｐｔｉｏｎ２に追加されてもよい。Ｏｐｔｉｏｎ２メッセージフォーマットは、Ａｃｃｅｓｓ−Ｎｏｄｅ−Ｉｄｅｎｔｉｆｉｅｒ  ｓｌｏｔ１／ｐｏｒｔ１［：ｖｌａｎ−ｉｄ］であってもよい。
【００４３】
別の実施形態では、ＯＮＵは、ＯＮＵポート情報及びＯＬＴポート情報の両方をＲＳ／ＮＳメッセージのＯｐｔｉｏｎ３に追加してもよく、又は、ＯＮＵポート情報及びＯＬＴポート情報の両方がＲＳ／ＮＳメッセージに対応するＩＰｖ６パケットのＩＰｖ６拡張ヘッダのＯｐｔｉｏｎ３に追加されてもよく、ここで、
（１）ＯＮＵがＡＴＭベースのポートを使用する場合、Ｏｐｔｉｏｎ３情報フォーマットは、Ａｃｃｅｓｓ−Ｎｏｄｅ−Ｉｄｅｎｔｉｆｉｅｒ  ａｔｍ  ｓｌｏｔ１／ｐｏｒｔ１／ＯＮＵ−ＩＤ／ｓｌｏｔ２／ｐｏｒｔ２：ｖｐｉ．ｖｃｉであってもよく、
（２）ＯＮＵがＥＴＨベースのポートを使用する場合、Ｏｐｔｉｏｎ３情報フォーマットは、Ａｃｃｅｓｓ−Ｎｏｄｅ−Ｉｄｅｎｔｉｆｉｅｒ  ｅｔｈ  ｓｌｏｔ１／ｐｏｒｔ１／ＯＮＵ−ＩＤ／ｓｌｏｔ２／ｐｏｒｔ２［：ｖｌａｎ−ｉｄ］であってもよい。
【００４４】
更に、ステップ３０２において、ＯＮＵは、受信されたＲＳ／ＮＳメッセージからユーザのＭＡＣアドレスを取得し、そのＭＡＣアドレスを記憶する。
【００４５】
３０３：ＯＮＵは、ポート情報を運ぶＲＳ／ＮＳメッセージをＯＬＴに送信する。
【００４６】
３０４：ＯＬＴは、ＯＬＴポート情報を受信したＲＳ／ＮＳメッセージに追加する。
【００４７】
ステップ３０４は省略可能であることに留意されたい。ＯＮＵがステップ３０２において完全なポート情報（すなわち、ＯＮＵポート情報及びＯＬＴポート情報）をＲＳ／ＮＳメッセージに既に追加した場合、ステップ３０４は省略されてもよく、ステップ３０５が直接実行される。ステップ３０２において、ＯＮＵが、Ｏｐｔｉｏｎ１のポート情報フォーマットを使用して、ＯＮＵポート情報をＲＳ／ＮＳメッセージに追加し、しかし、ＯＬＴポート情報は追加しない場合、ステップ３０４において、ＯＬＴは、ＯＬＴポート情報をＲＳ／ＮＳメッセージに追加する必要がある。
【００４８】
具体的には、一実施形態において、ＯＬＴは、ＯＬＴポート情報をＲＳメッセージのＯｐｔｉｏｎ２に追加してもよく、又は、ＯＬＴポート情報はＲＳ／ＮＳメッセージに対応するＩＰｖ６パケットのＩＰｖ６拡張ヘッダのＯｐｔｉｏｎ２内で運ばれてもよく、ここで、情報フォーマットは、Ａｃｃｅｓｓ−Ｎｏｄｅ−Ｉｄｅｎｔｉｆｉｅｒ  ｓｌｏｔ１／ｐｏｒｔ１［：ｖｌａｎ−ｉｄ］である。
【００４９】
別の実施形態では、別法として、ＯＮＵが、ステップ３０２において、Ｏｐｔｉｏｎ３のポート情報フォーマットを使用して、ＯＮＵポート情報をＲＳ／ＮＳメッセージに追加し、又は、ＲＳ／ＮＳメッセージに対応するＩＰｖ６パケットのＩＰｖ６拡張ヘッダに追加し、しかし、ＯＬＴポート情報は追加しない場合、ＯＬＴは、ステップ３０４において、ＯＬＴポート情報を、ＲＳ／ＮＳメッセージに、又は、ＲＳ／ＮＳメッセージに対応するＩＰｖ６パケットのＩＰｖ６拡張ヘッダに、Ｏｐｔｉｏｎ３を修正することによって追加してもよい。例えば、ＯＬＴは、Ｏｐｔｉｏｎ３内で運ばれるＯＮＵポート情報を取得し、次に、ＯＬＴポート情報とＯＮＵポート情報とを組み合わせて完全なポート情報フォーマットＯｐｔｉｏｎ３とし、最後に、Ｏｐｔｉｏｎ３を、ＲＳ／ＮＳメッセージに、又は、ＲＳ／ＮＳメッセージに対応するＩＰｖ６パケットのＩＰｖ６拡張ヘッダに再び追加してもよい。
【００５０】
更に、ステップ３０４において、ＯＬＴは、受信したＲＳ／ＮＳメッセージからユーザのＭＡＣアドレスを取得し、そのＭＡＣアドレスを記憶する。
【００５１】
３０５：ＯＬＴは、ＯＮＵポート情報とＯＬＴポート情報とを運ぶＲＳ／ＮＳメッセージを（ＢＮＧなどの）ネットワークエンティティに転送する。
【００５２】
ＲＳ／ＮＳメッセージを受信した後、ＢＮＧは、ＲＳ／ＮＳメッセージ内で運ばれるポート情報（すなわち、ＯＮＵポート情報及びＯＬＴポート情報）に従って、ポート情報に対応するユーザ名及び／又はパスワードを照会してもよく、そして、ユーザ名及びパスワードを運ぶアクセス要求（Ａｃｃｅｓｓ  Ｒｅｑｕｅｓｔ）メッセージを、認証、認可、及び課金（ＡＡＡ）サーバに発してもよい。ＡＡＡサーバは、更にユーザを認証してもよく、かつ／又は、ポート情報に従って対応するＩＰｖ６アドレスプレフィックスを検索してもよい。ユーザが正常に認証された後、ＡＡＡサーバは、アクセス受諾（Ａｃｃｅｓｓ  Ａｃｃｅｐｔ）メッセージを介して、ＢＮＧにユーザプロファイルを配信してもよく、ここで、ユーザプロファイルはユーザに割り当てられるＩＰｖ６アドレスプレフィックスを含んでもよい。あるいは、ＢＮＧは、ＲＳメッセージを運ぶアクセス要求メッセージをＡＡＡサーバに直接発してもよく、そして、ＡＡＡサーバは、更に、ユーザを認証してもよく、かつ／又は、ポート情報に従って対応するＩＰｖ６アドレスプレフィックスを検索してもよく、そして、ユーザプロファイルを介してＩＰｖ６アドレスプレフィックスをＢＮＧに配信してもよい。
【００５３】
更に、ＡＡＡサーバによってアクセス受諾メッセージを介して配信されたユーザプロファイルを受信した後、ＢＮＧは、ＰＯＮシステムを介してＩＰｖ６アドレスプレフィックスをユーザに配信してもよく、ここで、ＩＰｖ６アドレスプレフィックスは伝送のためのＲＡメッセージ内で運ばれる。必要に応じて、ＢＮＧは更にユーザのＭＡＣアドレスをＩＰｖ６アドレスプレフィックスとバインドしてもよく、ここで、ユーザのＭＡＣアドレスは、前述のＲＳ／ＮＳメッセージから又はＲＳメッセージの送信元ＭＡＣアドレスから取得されてもよい。加えて、ＢＮＧは、バインドを実行する前に、重複ＬＬＡ（ｄｕｐｌｉｃａｔｅ  ＬＬＡｓ）を検出してもよい。
【００５４】
更に、ＢＮＧは、ＲＳメッセージ内のポート情報に従ってＩＰｖ６アドレスプレフィックスの配信を開始してもよい。具体的には、ＩＰｖ６アドレスプレフィックスの配信を開始する場合、ＢＮＧは、記憶されたユーザ情報を使用することによって識別情報認可（ｉｄｅｎｔｉｔｙ  ａｕｔｈｏｒｉｚａｔｉｏｎ）、及び検索を直接実行してもよく、そして、ＩＰｖ６アドレスプレフィックスを取得した後、ＲＡメッセージを介して対応するＩＰｖ６アドレスプレフィックスをユーザに配信してもよい。
【００５５】
ＩＰｖ６アドレスプレフィックスを（ＲＡメッセージなどの）ＩＰｖ６メッセージを介してユーザに配信する（ＢＮＧなどの）ネットワークエンティティのプロセスについて、図３を参照して以下に詳細に説明する。
【００５６】
４０１：ＢＮＧは、ＲＡメッセージをＯＬＴに送信する。
【００５７】
具体的には、ＢＮＧは、ＲＡメッセージをマルチキャスト又はユニキャストモードで配信してもよい。ＲＡメッセージは、ユーザが接続されているＯＮＵポートに関する情報と、ＯＬＴポート情報と、関連するＩＰｖ６アドレスプレフィックスとを運んでもよく、ＯＮＵポート情報フォーマット及びＯＬＴポート情報フォーマットは、前述のＲＳメッセージ内で運ばれるポート情報フォーマットと同じである。更に、ＯＮＵポート情報タイプＩＤは、ＲＳメッセージ内のＯＮＵポート情報のタイプＩＤ「ａｔｍ／ｅｔｈ」と一致し、又は、ＡＡＡサーバによって配信されるユーザプロファイル内のＯＮＵポートタイプによって決定されてもよい。
【００５８】
４０２：ＯＬＴは、ＲＡメッセージを受信し、ＲＡメッセージ内で運ばれるＯＬＴポート情報及びＯＮＵポート情報に従って、ＲＡメッセージを対応する論理ポートに転送する。
【００５９】
例えば、ギガビットＰＯＮ（ＧＰＯＮ）システムにおいて、ＯＬＴは、ＲＡメッセージをＧＥＭ  ＰＯＲＴ−ＩＤに対応する論理リンクにマッピングして、メッセージを対応するＧＰＯＮカプセル化方法（ＧＥＭ）ポートに転送し、イーサネット（登録商標）ＰＯＮ（ＥＰＯＮ）システムにおいて、ＯＬＴは、ＲＡメッセージを論理リンク識別子（ＬＬＩＤ）に対応する論理リンクにマッピングして、メッセージを対応する論理リンクポートに転送する。更に、論理ポートは、ＲＡメッセージをユニキャストモードで転送してもよい。例えば、ＧＰＯＮシステムにおいてユニキャストＧＥＭポートがＲＡメッセージを運ぶために使用されてもよく、又は、ＥＰＯＮシステム又はイーサネット（登録商標）システムにおいてユニキャストＭＡＣフレームがＲＡメッセージを運ぶために使用される。
【００６０】
４０３：ＯＬＴは、ＲＡメッセージ内で運ばれるＯＬＴポート情報に従って、ＯＬＴポート情報によって示されるＯＬＴポートを対応するＩＰｖ６アドレスプレフィックスとバインドする。
【００６１】
あるいは、ＯＬＴは、ＲＡメッセージ内で運ばれるＯＬＴポート情報及びＯＮＵポート情報に従って、ＩＰｖ６アドレスプレフィックスを、ＯＬＴポート情報によって示されるＯＬＴポート、及びＯＮＵポート情報によって示されるＯＮＵポートとバインドしてもよい。
【００６２】
加えて、ＯＬＴポートのセキュリティ及び秘匿性を保証するために、必要に応じて、ＯＬＴは、更に、ＲＡメッセージ内で運ばれるＯＬＴポート情報を除去してもよい（例えば、Ｏｐｔｉｏｎ３内のＯＬＴポート情報を除去してもよく、又は、Ｏｐｔｉｏｎ２を除去してもよい）。あるいは、ＯＬＴは、ＲＡメッセージ内で運ばれるＯＬＴポート情報を除去しなくてもよく、後続のステップにおいて、ＯＮＵが、ＲＡメッセージ内で運ばれるＯＬＴポート情報を除去する。
【００６３】
４０４：ＯＬＴは、ＲＡメッセージを対応するＯＮＵに転送する。
【００６４】
例えば、ステップ４０４より前に、ＯＬＴがＲＡメッセージ内で運ばれるＯＬＴポート情報を既に除去した場合、ＯＬＴによってＯＮＵに転送されるＲＡメッセージは、Ｏｐｔｉｏｎ１を運ぶが、Ｏｐｔｉｏｎ２は運ばない、又は、ＲＡメッセージ内で運ばれるＯｐｔｉｏｎ３は、ＯＮＵポート情報のみを含む。ステップ４０４より前に、ＯＬＴがＯＬＴポート情報を除去しない場合、ＯＬＴによってＯＮＵに転送されるＲＡメッセージはＯｐｔｉｏｎ１及びＯｐｔｉｏｎ２の両方又は完全なＯｐｔｉｏｎ３を運んでもよい。
【００６５】
４０５：ＯＮＵは、ＲＡメッセージを受信し、ＲＡメッセージ内で運ばれるＯＮＵポート情報に従って、ＲＡメッセージをＯＮＵポート情報によって示されるポートに転送する。
【００６６】
具体的には、ＲＡメッセージを受信した後、ＯＮＵは、ＲＡメッセージ内で運ばれるＯＮＵポート情報内のタイプＩＤ「ａｔｍ／ｅｔｈ」が実際のポートタイプＡｔｍ／Ｅｔｈと一致するかどうかを検査してもよい。ＲＡメッセージ内で運ばれるＯＮＵポート情報内のタイプＩＤ「ａｔｍ／ｅｔｈ」が実際のポートタイプＡｔｍ／Ｅｔｈと一致する場合、ＯＮＵは、ＲＡメッセージを対応するＯＮＵポートに転送する。ＲＡメッセージ内で運ばれるＯＮＵポート情報内のタイプＩＤ「ａｔｍ／ｅｔｈ」が実際のポートタイプＡｔｍ／Ｅｔｈと一致しない場合、ＯＮＵは、ＲＡメッセージを廃棄し、更に、ＯＮＵは、ＯＬＴ上のＯＬＴポートをＩＰｖ６アドレスプレフィックスからアンバインドするよう、又は、ＯＬＴ及びＯＮＵポート情報を対応するＩＰｖ６アドレスプレフィックスからアンバインドするよう、ＯＭＣＩ又はＬ２ＣＰを介してＯＬＴ又はＢＮＧに通知してもよい。
【００６７】
４０６：ＯＮＵは、ＯＮＵポートを対応するＩＰｖ６アドレスプレフィックスとバインドする。
【００６８】
具体的には、ＲＡメッセージ内で運ばれるＯＮＵポート情報内のタイプＩＤ「ａｔｍ／ｅｔｈ」が実際のポートタイプＡｔｍ／Ｅｔｈと一致する場合、ＯＮＵは、更に、ＯＮＵポート情報及びＩＰｖ６アドレスプレフィックスに従ってＩＰｖ６アドレスプレフィックスを対応するＯＮＵポートとバインドしてもよい。
【００６９】
加えて、ＯＮＵポートのセキュリティ及び秘匿性を保証するために、必要に応じて、ＯＮＵは、ＯＮＵポート情報によって示されるＯＮＵポートをＩＰｖ６アドレスプレフィックスとバインドした後、ＯＮＵポート情報をＲＡメッセージから除去する（例えば、Ｏｐｔｉｏｎ１をＲＡメッセージから除去する、又は、ＯＮＵポート情報をＯｐｔｉｏｎ３から除去する）。前述のステップにおいて、ＯＬＴがＯＬＴポート情報を除去しない場合、ＯＮＵは、ＯＮＵポート情報を除去する間、ＯＬＴポート情報を除去してもよいということに留意されたい。
【００７０】
４０７：ＯＮＵは、ＯＮＵポートを使用して、ＲＡメッセージを対応するユーザに転送する（すなわち、ＩＰｖ６アドレスプレフィックスをユーザに提供する）。
【００７１】
４０８：ユーザは、ＲＡメッセージ内で運ばれるＩＰアドレスプレフィックスに従ってＩＰアドレスを自動的に設定する。
【００７２】
本発明の実施形態で提供される方法によれば、ＩＰｖ６アドレスプレフィックスを運ぶＲＡメッセージをユーザに転送するプロセスにおいて、ＯＬＴ及びＯＮＵはそれぞれ、ＯＬＴポート及びＯＮＵポートを、ＩＰｖ６アドレスプレフィックスとバインドする。このようにして、ユーザとネットワークエンティティとの間の通信が、特定のポート上で実施される。従来技術と比較して、本発明の実施形態で提供される方法では、指定されたＩＰｖ６アドレスプレフィックスをバインドされたポートを介して取得でき、これにより、ユーザＩＰアドレスの設定の正しさが保証される。加えて、ユーザは、指定されたＩＰｖ６アドレスプレフィックスをバインドされたポートを介して取得し、他のユーザのＩＰｖ６アドレスプレフィックスを受信することが回避されるため、ユーザのリソースが大幅に節約される。
【００７３】
図４に示すように、本発明の一実施形態は、ＰＯＮにおいてＩＰｖ６メッセージを送信する装置を提供する。この装置は、ネットワーク側装置であり、そして、ＯＬＴであってもよい。この装置は、
ＯＬＴポート情報とＯＮＵポート情報とＩＰｖ６アドレスプレフィックスとを運ぶＲＡメッセージを受信するように構成された第１のＲＡ受信ユニット５０１と（ここで、ＲＡメッセージは、ユーザの要求に従って（ＢＮＧ又はＡＡＡサーバなどの）ネットワーク側装置によって配信されてもよく）、
ＩＰｖ６アドレスプレフィックスをＯＬＴポート情報によって示されるＯＬＴポートとバインドするように構成された第１のバインディングユニット５０２と、
ＲＡメッセージをＯＬＴポートを介してＯＮＵに送信して、ＩＰｖ６アドレスプレフィックスをＯＮＵポート情報によって示されるＯＮＵポートとバインドするようＯＮＵに指示するように構成された第１のＲＡ送信ユニット５０３と、を含んでもよい。
【００７４】
更に、ＯＬＴは、ＯＬＴポート情報をＲＡメッセージから除去し、ＲＡメッセージがＯＮＵに送信されるように、ＯＬＴポート情報なしのＲＡメッセージを第１のＲＡ送信ユニット５０３に提供するように構成された第１のポート情報除去ユニット５０７を含んでもよい。第１のポート情報除去ユニット５０７は必要に応じて設けられることに留意されたい。加えて、別の実施形態では、第１のポート情報除去ユニット５０７の機能は、第１のバインディングユニット５０２内に統合されてもよい。
【００７５】
更に、ＯＬＴは、
ＯＮＵによって送信され且つＯＮＵポート情報を運ぶＲＳメッセージを受信するように構成された第１のＲＳ受信ユニット５０４と（ここで、ＲＳメッセージは、ユーザによって発され、ＯＮＵによって転送されてもよく、ＯＮＵは、ＲＳメッセージをＯＬＴに転送する前に、ＯＮＵポート情報をＲＳメッセージに追加する）、
ＯＬＴポート情報をＲＳ受信ユニット５０４によって受信されたＲＳメッセージに追加するように構成された第１のポート情報追加ユニット５０５と、
ＯＮＵポート情報とＯＬＴポート情報とを運ぶＲＳメッセージをネットワークエンティティに送信して、ユーザのためのＩＰｖ６アドレスプレフィックスを割り当てるようネットワークエンティティに要求するように構成された第１のＲＳ送信ユニット５０６と、を含んでもよい。
【００７６】
第１のポート情報追加ユニット５０５は必要に応じて設けられることに留意されたい。あるいは、別の実施形態では、ＯＬＴは、ＯＬＴポート情報をＯＮＵに配信するように構成されたＯＬＴポート情報配信ユニット（図４には図示せず）を更に含んでもよい（これにより、ＯＮＵは、ＲＳメッセージを転送する前に、ＯＮＵポート情報及びＯＬＴポート情報の両方をＲＳメッセージに追加する）。この場合、第１のポート情報追加ユニット５０５は、ＯＬＴ内で必要に応じて設けられ、一方、第１のＲＳ受信ユニット５０４によって受信され且つＯＮＵによって転送されるＲＳメッセージは、ＯＬＴポート情報及びＯＮＵポート情報の両方を運ぶ。従って、第１のＲＳ送信ユニット５０６は、第１のポート情報追加ユニット５０５によって実施される処理なしに、ＯＬＴポート情報及びＯＮＵポート情報の両方を運ぶＲＳメッセージをＢＮＧに送信して、ＩＰｖ６アドレスプレフィックスを要求してもよい。
【００７７】
更に、第１のＲＳ受信ユニット５０４と第１のポート情報追加ユニット５０５（又は、ＯＬＴポート情報配信ユニット）と第１のＲＳ送信ユニット５０６とは、第１のＲＳ中継モジュール（図４には図示せず）などの機能モジュール内に統合されてもよい。すなわち、第１のＲＳ中継モジュールは、ＩＰｖ６アドレスプレフィックスを要求し且つＯＮＵポート情報を運ぶＲＳメッセージを受信し、ＯＬＴポート情報をＯＮＵポート情報を運ぶＲＳメッセージに追加し、ＯＬＴポート情報とＯＮＵポート情報とを運ぶＲＳメッセージをＯＬＴポート情報によって示されるポートを介して（ＢＮＧなどの）ネットワークエンティティに送信するように構成される。
【００７８】
図５に示すように、本発明の一実施形態は、ＰＯＮにおいてＩＰｖ６メッセージを送信する装置を示す。この装置は、顧客構内に位置し、そして、ＯＮＵであってもよい。この装置は、
ＲＡメッセージをＯＬＴから受信するように構成された第２のＲＡ受信ユニット６０１と（ここで、ＲＡは、ＯＮＵポート情報と、所定のＯＬＴポートとバインドされたＩＰｖ６アドレスプレフィックスとを運び）、
ＩＰｖ６アドレスプレフィックスをＯＮＵポート情報によって示されるＯＮＵポートとバインドするように構成された第２のバインディングユニット６０２と、
ＲＡメッセージをＯＮＵポートを介してユーザに送信するように構成された第２のＲＡ送信ユニット６０３と、を含んでもよい。
【００７９】
更に、所定のＯＬＴポートは、ＯＬＴ内で予め設定され且つＲＡメッセージをＯＮＵポートに転送するように構成されたポートであってもよく、ここで、ＯＮＵポートは、ＯＮＵ内に位置し且つＲＡメッセージをユーザに転送するように構成されたポートであってもよい。
【００８０】
更に、ＯＮＵは、ＯＮＵポート情報をＲＡメッセージから除去し、ＲＡメッセージがユーザに送信されるように、ＯＮＵポート情報なしのＲＡメッセージを第２のＲＡ送信ユニット６０３に提供するように構成された第２のポート情報除去ユニット６０７を含んでもよい。第２のポート情報除去ユニット６０７は、必要に応じて設けられ、主として、ＯＮＵポートのセキュリティを保証するために構成されることに留意されたい。加えて、別の実施形態では、第２のＲＡ受信ユニット６０１によって受信されるＲＡメッセージは、ＯＬＴポート情報及びＯＮＵポート情報の両方を運んでもよい。この場合、第２のポート情報除去ユニット６０７は、ＯＬＴポート情報及びＯＮＵポート情報の両方をＲＡメッセージから除去するように構成されてもよい。
【００８１】
更に、ＯＮＵは、
ユーザによって発されたＲＳメッセージを受信するように構成された第２のＲＳ受信ユニット６０４と、
ＯＬＴによって予め配信されたＯＬＴポート情報を受信するように構成されたＯＬＴポート情報受信ユニット６０８と、
ＯＮＵポート情報をＲＳメッセージに追加するように構成されるか、又は、ＯＬＴポート情報及びＯＮＵポート情報の両方をＲＳメッセージに追加するように構成された第２のポート情報追加ユニット６０５と、
ＯＬＴが、ユーザのためのＩＰｖ６アドレスプレフィックスを割り当てるようネットワークエンティティに要求するように、ＯＮＵポート情報を運ぶか、又は、ＯＮＵポート情報及びＯＬＴポート情報の両方を運ぶＲＳメッセージをＯＬＴに送信するように構成された第２のＲＳ送信ユニット６０６と、を含んでもよい。
【００８２】
更に、第２のＲＳ受信ユニット６０４とＯＬＴポート情報受信ユニット６０８と第２のポート情報追加ユニット６０５と第２のＲＳ送信ユニット６０６とは、第２のＲＳ中継モジュール（図５には図示せず）などの機能モジュール内に統合されてもよい。すなわち、第２のＲＳ中継モジュールは、ＲＳメッセージを受信し、ＯＮＵポート情報（及び、ＯＬＴポート情報）をＲＳメッセージに追加し、ポート情報によって示されるポートに従ってＲＳメッセージをＯＬＴに送信するように構成される。
【００８３】
図６に示すように、本発明の一実施形態は、ＰＯＮシステムを提供する。このシステムは、ユーザ装置（ＵＥ）と、ＲＧと、ＯＮＵと、ＯＤＮと、ＯＬＴと、ネットワークエンティティとを含んでもよく、ここで、ネットワークエンティティはＯＬＴに接続され、ＯＬＴはＯＤＮを介してＰ２ＭＰモードでＯＮＵに接続され、ＯＮＵはＲＧを介してＵＥに接続され、各ＯＮＵは１つ又は複数のＲＧに接続されてもよい。
【００８４】
ＵＥは、ＩＰｖ６アドレスプレフィックスを取得するためのＲＳ／ＮＳメッセージをＲＧを介してネットワークエンティティに送信するように構成される。
【００８５】
ＯＮＵは、図５に示されたＯＮＵであってもよく、そして、ＲＳ／ＮＳメッセージを受信し、受信したＲＳ／ＮＳメッセージにポート情報を追加し（ここで、追加されるポート情報は、ＯＮＵポート情報のみであってもよく、又は、ＯＬＴポート情報及びＯＮＵポート情報であってもよい）、追加されたポート情報を運ぶＲＳ／ＮＳメッセージをＯＬＴに送信するように構成される。
【００８６】
ＯＬＴは、図４に示されたＯＬＴであってもよく、そして、受信したＲＳ／ＮＳメッセージ内で運ばれるポート情報に従ってＯＬＴポート情報をＲＳ／ＮＳメッセージに追加し、次に、ＲＳ／ＮＳメッセージをネットワークエンティティに送信するように構成されるか、又は、ＲＳ／ＮＳメッセージをネットワークエンティティに直接送信するように構成される。
【００８７】
ネットワークエンティティは、受信したポート情報に従ってユーザを認証し、ＩＰｖ６アドレスプレフィックスを検索し、対応するＩＰｖ６アドレスプレフィックスをＯＬＴに配信するように構成される。
【００８８】
ＯＬＴは、図４に示されたＯＬＴであってもよく、そして、ＯＬＴポート情報とＯＮＵポート情報とＩＰｖ６アドレスプレフィックスとを運ぶＲＡメッセージを受信し、ＩＰｖ６アドレスプレフィックスをＯＬＴポート情報によって示されるＯＬＴポートとバインドし、ＲＡメッセージをＯＬＴポートを介してＯＮＵに送信するように更に構成される。
【００８９】
ＯＮＵは、図５に示されたＯＮＵであってもよく、そして、ＩＰｖ６アドレスプレフィックスをＯＮＵポート情報によって示されるＯＮＵポートとバインドし、ＲＡメッセージをＯＮＵポートを介してＵＥに提供するように更に構成される。
【００９０】
ＵＥは、ＩＰｖ６アドレスプレフィックスに従ってＩＰｖ６アドレスを生成するように更に構成される。
【００９１】
当業者は、任意の前述の実施形態において指定された方法のステップの全て又は一部が、関連するハードウェアに指示するプログラムによって実施されてもよい、ということを理解するであろう。プログラムは、読み取り専用メモリ又はランダムアクセスメモリ（ＲＯＭ／ＲＡＭ）、磁気ディスク、あるいはコンパクトディスク読み取り専用メモリ（ＣＤ−ＲＯＭ）などの、コンピュータ読み取り可能な記憶媒体内に記憶されてもよい。プログラムが実行される場合、前述の実施形態における方法のステップが実行される。
【００９２】
前述の説明は、本発明の例示的実施形態にすぎず、本発明の保護範囲を限定することを意図するものではない。本発明の技術的開示の範囲から逸脱することなく当業者によって行われる様々な変形又は置換は、本発明の保護範囲内に入る。従って、本発明の保護範囲は、添付の特許請求の範囲によって決まる。
【図１】
0005096639.tif 000002
【図２】
0005096639.tif 000003
【図３】
0005096639.tif 000004
【図４】
0005096639.tif 000005
【図５】
0005096639.tif 000006
【図６】
0005096639.tif 000007